Podtech/llm-jp-corpus-v4-ja_patent huggingface dataset:
(57)【要約】【課題】現在さまざまな能力開発方法があるが、単純な計算の繰り返しによるものも効果的であることが知られている。ところが単調な繰り返しのため、さらに効果を高めることが困難であり、よりシンプルで円滑に計算し易いことが能力開発の効果に影響を与える課題となっている。【解決手段】エクセルマクロで２桁の乱数表を更新し、足し算、掛け算、割り算をインターバルに配分することで、よりシンプルにバランスよくメンタル能力開発の効果を向上させることができる。【選択図】図１
2012141480.tif 000002
【特許請求の範囲】
【請求項１】
２桁の暗算による能力開発トレーナー。
【請求項２】
エクセルマクロによるバランスの良い能力開発に効果的な乱数表の作成方法。
【発明の詳細な説明】
【技術分野】
【０００１】
この発明は、エクセルマクロを活用した暗算によるメンタル能力開発トレーニングに関する。
【背景技術】
【０００２】
シンプルな数字の暗算を繰り返すことが能力開発に効果的である。
【先行技術文献】
【非特許文献】
【０００３】
【非特許文献１】リチャード・レスタック著  脳トレ―最先端の脳科学研究に基づく28のトレーニング  アスペクト  ２００３年
【発明の概要】
【発明が解決しようとする課題】
【０００４】
しかしながら、より簡単に円滑に計算を行い易いかが能力開発の効果に影響を与えている。
そこで、この発明は、より効果的なメンタル能力開発トレーニング方法を提供すること
を課題とする。
【課題を解決するための手段】
【０００５】
以上の課題を解決するために、第一発明は、エクセルマクロによるバランス良い２桁の乱数表の更新である。
また、第二発明は、足し算、掛け算、割り算のインターバルな配分である。
【発明の効果】
【０００６】
第一発明、または第二発明によれば、よりシンプルにバランスよくメンタル能力開発の効果を向上させることができる
【図面の簡単な説明】
【０００７】
【図１】この発明の一実施形態を示す全体図である。
【図２】乱数作成マクロである。
【発明を実施するための形態】
【０００８】
この発明の一実施形態を、図１に示す。
ボタン１を押すことで、乱数が更新される。２の行に回答を入力することで、３に正解数が表示される。
【０００９】
「実施形態の効果」
この実施形態によれば、エクセルマクロで２桁の乱数表を更新し、足し算、掛け算、割り算をインターバルに配分することで、よりシンプルにバランスよくメンタル能力開発の効果を向上させることができる。正解率や時間を意識することでさらに効果が高まる。
【符号の説明】
【００１０】
１  乱数更新ボタン            ２  回答入力行
３  正解数表示
【図１】
2012141480.tif 000003
【図２】
2012141480.tif 000004
(57)【要約】      （修正有）【課題】気泡の移動量が微少な為による目視誤差及び、水平器の変形、傷、気泡管固定部の不具合等に因って水平時、気泡管筒周りに離間して印した線間の中央に気泡が位置しないことにより生じる測定誤差を減じた水平器を提供する。【解決手段】気泡管２の筒両端間円弧状内側面の曲率半径と比較して、倍以上大きい曲率半径の筒両端間円弧状内側面から成る補助気泡管３を気泡管と直列にして水平器１に付加して取り付ける。【選択図】図１
2012141229.tif 000002
【特許請求の範囲】
【請求項１】
筒両端間の内側面が円弧状に拡径し湾曲した透光性筒状容器内に僅かな気泡を残留して液体を封じ込めて、前記透光性筒状容器の筒周りに前記気泡の外径程度に離間した複数の線を印して成る気泡管を棒状体に取り付けた水平器に於いて、前記気泡管の筒両端間円弧状内側面の曲率半径と比較して、倍以上大きい曲率半径の筒両端間円弧状内側面から成る補助気泡管を前記気泡管と直列にして前記水平器に付加して取り付けて成る補助気泡管付水平器。
【請求項２】
上記水平器に於いて、上記補助気泡管を上記気泡管と並列にして前記水平器に付加して取り付けて成る補助気泡管付水平器。
【発明の詳細な説明】
【技術分野】
【０００１】本発明は、水平度を測る水平器に関する。
【背景技術】
【０００２】  筒両端間の内側面が円弧状に拡径し湾曲した透光性筒状容器内に僅かな気泡を残留して液体を封じ込めて、筒周りに気泡の外径程度に離間した二本の線を印した気泡管、この気泡管を棒状体に取り付けて成る従来の水平器を被測定体に密着して、筒周りに印した二線間の中央に気泡が位置する事によって被測定体の水平度を測る。
【先行技術文献】
【非特許文献】
【０００３】
【非特許文献１】  株式会社エビス電子版製品カタログ巻頭ページ
【発明の概要】
【発明が解決しようとする課題】
【０００４】  従来の水平器に於いて水平時、気泡は筒周りに離間して印した二線間の中央に位置するが、気泡の水平移動量が微少な為、線と気泡との相対位置が周囲の光の状況に左右され不明瞭で見難く気泡管の筒側面に対して直交方向からずれて目視すると目視誤差を生じる。
落下、打撃等による水平器の変形、傷、気泡管固定部の不具合等に因って、水平時、気泡管筒周りに印した二線間の中央に気泡が位置せず、水平器長手方向を水平面で半回転して筒周りに印した線と気泡との相対位置に変化が無い事に因って水平度を測るが上記同様不明瞭で見難く測定誤差を生じる。
【課題を解決するための手段】
【０００５】  上記課題を改善するため、筒両端間の内側面が円弧状に拡径し湾曲した透光性筒状容器内に僅かな気泡を残留して液体を封じ込めて、前記透光性筒状容器筒周りに前記気泡の外径程度に離間した複数の線を印して成る気泡管を棒状体に取り付けた水平器に於いて、請求項１は前記気泡管の筒両端間円弧状内側面の曲率半径と比較して、倍以上大きい曲率半径の筒両端間円弧状内側面から成る補助気泡管を前記気泡管と直列にして前記水平器に付加して取り付ける。【０００６】  請求項２は上記水平器に於いて、上記気泡管と並列にして上記補助気泡管を前記水平器に付加して取り付ける。
【発明の効果】
【０００７】  従来の水平器に付加して取り付けた補助気泡管は筒両端間円弧状内側面の曲率半径がより大きく、気泡の移動量が増大し見易くなる事で目視誤差を減じ、落下、打撃等による水平器の変形、傷、水平器と気泡管固定部の不具合等に因って、水平時、気泡左右に印した気泡管筒周りの二線間の中央に気泡が位置しない場合、気泡移動量の増大を目的に付加した補助気泡管は補助気泡管の中央に気泡が位置する必要は無く、水平器長手方向を水平面で半回転する前と後で、補助気泡管筒の気泡が左右反転して同位置である事で水平度が測定でき測定誤差を減じる。
【図面の簡単な説明】
【０００８】
【図１】本発明請求項１の斜投影概略説明図
【図２】本発明請求項２の斜投影概略説明図
【発明を実施するための形態】
【０００９】  図１に於いて補助気泡管付水平器１底面が水平面に密着時、気泡管２は筒周りに離間して印した二線６間の中央に気泡４が位置する様に、補助気泡管３は筒の中央に気泡５が位置する様にして、四角柱から成る補助気泡管付水平器１長手上部面の中央に補助気泡管３を取り付け、その脇に気泡管２を請求項１は直列に配し、請求項２は並列に配して補助気泡管付水平器１長手方向と各気泡管を同一方向にして取り付ける。
補助気泡管３の筒両端間円弧状内側面の曲率半径は気泡管２と比較して五倍の筒両端間円弧状内側面の曲率半径とする。
補助気泡管３は補助気泡管付水平器１長手方向を水平面で半回転する前と後の位置変化を拡大して目視する為のもので、水平時に於いて必ずしも気泡５が補助気泡管３の中央に位置する必要は無く、気泡５の移動量を視認する目安とすると共に気泡管２と補助気泡管３を区別する為、補助気泡管３を二等分する一本の線７を筒周りに印す。
【実施例】
【００１０】  図１に於いて気泡管２の筒両端間円弧状内側面の曲率半径を０．２メートル、補助気泡管３筒両端間円弧状内側面の曲率半径を１メートルとして、補助気泡管付水平器１長手方向を０．０５度傾けると気泡４、気泡５の水平移動量は
【数１】
2012141229.tif 000003
【数２】
2012141229.tif 000004
【数３】
2012141229.tif 000005
数２、数３より補助気泡管３の気泡５は気泡管２の気泡４と比較して曲率半径に比例し増幅された水平移動量と成る。
【産業上の利用可能性】
【００１１】  本発明に係わる補助気泡管付水平器は筒両端間円弧状内側面の曲率半径が異なる二個の気泡管を組み合わせて構成され量産が出来、産業上の利用可能性を有する。
【符号の説明】
【００１２】１  補助気泡管付水平器
２  気泡管
３  補助気泡管
４  気泡管の気泡
５  補助気泡管の気泡
６  気泡管筒周りの線
７  補助気泡管筒周りの線
【図１】
2012141229.tif 000006
【図２】
2012141229.tif 000007
(57)【要約】      （修正有）【課題】ドラム缶の縁に水抜きの穴を設けることによってドラム缶内部に水が溜まるのを防ぐこと。【解決手段】ドラム缶１の給油口３より低い位置にドラム缶の縁２の側面に水抜き用の穴４を設ける、その穴に中空の管を通し管口の両側が外側へ潰れるように圧力をかけ穴の回りを鳩目状に補強管５とする。或いは、ドラム缶の縁の一部６を給油口の位置より低くする。ドラム缶水抜き用の穴は一箇所だけでなく複数箇所設けることにより一箇所詰まっても他の穴で排水出来るので排水効果が高まる。【選択図】図１
2012171692.tif 000002
【特許請求の範囲】
【請求項１】
ドラム缶の縁の側面に水抜き用の穴を設けたドラム缶。
【請求項２】
ドラム缶の縁の一部分を給油口の高さより低くしたドラム缶。
【発明の詳細な説明】
【発明の詳細な説明】
【技術分野】
【０００１】本発明は、ドラム缶の中に水が入らないよう給油口のまわりの縁に水抜き用の穴を設けたものである。
【背景技術】
【０００２】従来のドラム缶は立てて置いておくと  給油口の位置よりドラム缶の縁のほうが高いため  蓋の締込みが悪いと溜まった水が内部に入りいずれ給油された機械等がトラブルを起こす原因になるという問題点があった、又給油されたドラム缶を寝かせておくと起こすのが大変であった。
【発明が解決しようする課題】
【０００３】本発明はドラム缶の縁に水抜きの穴を設けることによってドラム缶内部に水が溜まるのを防ぐ事を目的とする発明である。
【課題を解決するための手段】
【０００４】この課題を解決するための請求項１の発明は、ドラム缶▲１▼の給油口▲３▼より低い位置に縁▲２▼の側面に水抜き用の穴▲４▼を設ける、その穴に中空の管を通し管口の両側が外側へ潰れるように圧力をかけ穴の回りを鳩目状に補強管▲５▼した  水抜き用穴付きドラム缶。
請求項２の発明はドラム缶の縁の一部を給油口の位置より低く▲６▼したドラム缶。
【発明の効果】
【０００５】本発明を利用実施することによりドラム缶を立てておいても水抜き穴より排水され給油口から水が入ることがなくなり給油された機械等のトラブルも無くなる。
【発明を実施するための最良の形態】
【０００６】水抜き用の穴は一箇所だけでなく複数箇所設けることにより一箇所詰まっても他の穴で排水出来るので排水効果が高まる。【０００７】水抜き用の穴を対角線上に設け穴の回りに補強板を入れ圧縮固定すればその穴に留め金具を通せばドラム缶を吊り上げる時役立つ。【０００８】本発明は量産化することが出来産業上利用することが出来る
【図面の簡単な説明】
【０００９】
【図１】水抜き用の穴を設けた状態の斜視図
【図２】水抜き用の穴部分のＡ−Ａ′側面断面図
【図３】縁の一部を低くした状態の斜視図
【符号の説明】
【００１０】▲１▼    ドラム缶
▲２▼    縁
▲３▼    給油口        ▲４▼    水抜き用の穴
▲５▼    補強管        ▲６▼    一部を低くした縁
2012171692.tif 000003
【手続補正書】
【提出日】平成23年4月18日(2011.4.18)
【手続補正１】
【補正対象書類名】図面
【補正対象項目名】全図
【補正方法】変更
【補正の内容】
【図１】
2012171692.tif 000004
【図２】
2012171692.tif 000005
【図３】
2012171692.tif 000006
(57)【要約】【課題】紙パック飲料を開封し内容物を注ぐためには、紙パックの上側接合部を押し広げることにより現れる内側部分の接合部を、爪ではがし離していた。接合されている部分を、はがし離すことは困難だった。目の不自由な方が、紙パックの内容物を確認する手段がなされていなかった。  本発明は、紙パックに穴をあけ内容物をフタで確認でき、内容物を注ぐための着脱式注ぎ口を提供する。【解決手段】注ぎ口本体の両端に引掛け爪を設け、注ぎ口にはフタを設け、注ぎ口本体と紙パックの接触面にパッキンを設ける。紙パックの上側傾斜面を利用して、注ぎ口本体を取り付け、紙パック穴あけ用刃物を注ぎ口より挿入し、紙パックに注ぎ穴を設ける。注ぎ口フタに内容物名を浮き彫りで標記することを特徴とする紙パック着脱式注ぎ口。【選択図】図１
2012171690.tif 000002
【特許請求の範囲】
【請求項１】
注ぎ口を設けた紙パック着脱式注ぎ口の両端に引掛け爪を設け、注ぎ口の上にフタを設け、注ぎ口本体が紙パックに接触する面にパッキンを設け、紙パックの上側傾斜面に紙パック着脱式注ぎ口を取付けた後、別に設けた穴あけ用刃物を一組とする紙パックに注ぎ穴をあける紙パック着脱式注ぎ口。
【発明の詳細な説明】
【技術分野】
【０００１】  本発明は、紙パック飲料の注ぎ口に関するものである。
【背景技術】
【０００２】  従来、紙パック飲料を開封し内容物を注ぐには、紙パックの上側接合部を左右に押し広げることにより現れる内側の接合部を、爪ではがし離して注ぎ口を開いていた。
なお、紙パック用のスパウトとして、紙パック製造段階から注ぎ口を設ける方式のものが知られている。（特許文献１参照）
【先行技術文献】
【０００３】
【特許文献１】  特開２００７−２３０６０８号公報
【発明の概要】
【発明が解決しようとする課題】
【０００４】  紙パック飲料を開封し内容物を注ぐためには、紙パックの上側接合部を左右に押し広げることにより現れる内側部分の接合部を、爪ではがし離していた。接合されている部分を、はがし離すことは困難だった。また、目の不自由な方が、紙パックの内容物を確認する手段がなされていなかった。
本発明は、以上の問題点を解決するためになされたものである。
【課題を解決するための手段】
【０００５】  注ぎ口が設けられている本体の両端に引掛け爪を設け、注ぎ口にはフタを設け、本体と紙パックとの接触面にパッキンを設ける。紙パックの上側傾斜面を利用して、注ぎ口本体を取り付ける。その後、別に設けた紙パック穴あけ用刃物を、注ぎ口より挿入し、紙パックに注ぎ穴を設ける。紙パック穴あけ用刃物は、穴あけ後は取り外し保管する。注ぎ口フタに内容物名を浮き彫り文字で標記する。
以上の構成よりなる紙パック飲料用着脱式注ぎ口である。
【発明の効果】
【０００６】  従来困難であった紙パック飲料を開封し内容物を注ぐ作業を、本発明により容易に行うことができる。
紙パックの内容物を、フタで確認することができる。
【図面の簡単な説明】
【０００７】
【図１】本発明の斜視図
【図２】本発明の使用状態を示す斜視図
【発明を実施するための形態】
【０００８】  以下、本発明の形態を説明する。
注ぎ口を設けた本体（１）の両端に紙パックに取付けるための引掛け爪（３）を設ける。
（イ）本体（１）の表面には、フタ（２）注ぎ口（６）を設け、本体（１）の裏面にはパッキン（４）を設ける。
（ロ）フタ（２）には、内容物識別用の浮き彫り文字標記（５）を設ける。
（ハ）本体（１）とは別個に、紙パック穴あけ用刃物（７）を設ける。
本発明は以上のような構造である。
本発明を使用するときは、本体（１）の両端に設けた引掛け爪（３）を使用して紙パック上側傾斜面にパッキン（４）が接するように取付ける。フタ（２）を開け、紙パック穴あけ用刃物（７）を注ぎ口（６）から挿入し、紙パック傾斜面に穴をあける。紙パック穴あけ用刃物（７）を取外し保管する。
【符号の説明】
【０００９】１  着脱式注ぎ口本体
２  フタ
３  引掛け爪
４  パッキン
５  浮き彫り文字標記
６  注ぎ口
７  紙パック穴あけ用刃物
【図１】
2012171690.tif 000003
【図２】
2012171690.tif 000004
(57)【要約】【課題】自動車用カーナビゲーション表示装置は、進行方向の転換などで突然、日差しにより画面が見えなくなることがある。一方、企業活動において、より安価で大きな広告宣伝の効果を上げる媒体が求められている。  本発明は企業広告を掲示するカーナビゲーション表示装置用の日除けを提供する。【解決手段】紙または合成樹脂等の薄板による組立て式の自動車用ナビゲーション等の表示部分の日除け装置に於いて、日除け本体部分にはひさし前面に破風板部を設け、該日除け本体部をカーナビ本体とカーナビ収容ケースの間に挿入したカーナビ用サンバイザー。【選択図】図１
2012171613.tif 000002
【特許請求の範囲】
【請求項１】
紙または合成樹脂等の薄板による組立て式の自動車用ナビゲーション等の表示部分の日除け装置に於いて、日除け本体部分にはひさし前面に破風板部を設け、該日除け本体部をカーナビ本体とカーナビ収容ケースの間に挿入したカーナビ用サンバイザー。
【発明の詳細な説明】
【技術分野】
【０００１】  本発明は自動車用カーナビゲーション表示装置の画面が、日射しの反射により見えなくなることを防ぐ、カーナビ用サンバイザーに関するものである。
【背景技術】
【０００２】  （イ）自動車用カーナビゲーション表示装置は、日差しの反射により不意に表示がまったく見えなくなることがある。近年、カーナビの普及が目覚しく、初めての土地でも安心して運転できるようになったものの、これでは、表示に依存して運転している場合、道を誤ったり、最悪の場合、交通事故につながる危険を生じる。
（ロ）近年の消費における低価格化の進行と競争の激化により、より安価でより広告宣伝の効果を上げる媒体が企業により求められている。
【発明の概要】
【発明が解決しようとする課題】
【０００３】  （イ）  自動車用カーナビゲーション表示装置は、通常、運転席と助手席の間のダッシュボードに埋め込み、またはダッシュボード上に設置されている。しかし、この位置は衝突時に搭乗者が接触する可能性が高い部分であり、安全性を顧慮して、自動車メーカーによって十分な日除けが設置がされていない。一部に、樹脂製の日除けが販売されているが、普及しているとは言いがたい。このため、多くの自動車運転者にとって日差しにより画面が見えなくなる問題が解決されていない。
（ロ）  消費における低価格化の進行により、企業活動において従前の潤沢な広告宣伝費用の負担が難しくなるという問題が生じた。このため、より手軽に広告宣伝の効果を上げる媒体が模索されている。
（ハ）  本発明は、以上の両問題点を解決するためになされたものである。
【課題を解決するための手段】
【０００４】  紙または合成樹脂等の薄板による組立て式の自動車用ナビゲーション等の表示部分の日除け装置に於いて、日除け本体部分にはひさし前面に破風板部を設け、該日除け本体部をカーナビ本体とカーナビ収容ケースの間に挿入したカーナビ用サンバイザー。
【発明の効果】
【０００５】  （イ）  衝突時など搭乗者が接触した際に、紙製等柔らかい素材が搭乗者を傷付けることなく、かつ、必要な強度を得て日除けの働きを十分に果たす。また、印刷物１枚のコストで作成できることから、安価に製作することが可能である。
（ロ）  ひさし前面に破風板を設けることで、継続的に運転者、同乗者に向けた広告宣伝媒体となる。運転、同乗のつど目に触れるものであることから、高い宣伝効果が期待され、広告主の負担により無償で広く普及を図ることが出来る。
【図面の簡単な説明】
【０００６】
【図１】本発明の本体に側板が付いた状態での設置時の斜視図
【図２】本発明の本体に側板が付いた展開図として頒布時の平面図
【図３】本発明の本体に側板のない状態での設置時の斜視図
【図４】本発明の本体に側板がない展開図として頒布時の平面図
【図５】本発明の本体に側板が付いた状態での使用中の斜視図
【発明を実施するための形態】
【０００７】以下本発明の実施の形態を説明する。
（イ）本発明は図２のように１枚の紙等に印刷された展開図の外形を切り抜いて、図１のように折り曲げて組立てて使用する。または切り抜いた状態で頒布されたものを折り曲げて組立てて使用する。
（ロ）図２に示す「側板付き」の型式については、破風板（１）の上下に天板（２）および底版（３）を設け、天板（２）および底版（３）の左右にそれぞれ天側板（４）、底側板（５）を設ける。天板（２）の上、底版（３）の下に、それぞれ天折返し（９）、底折返し（１０）を設ける。
（ハ）破風版（１）と天板（２）および底版（３）との境界を直角に山折する。
（ニ）天側板（４）２枚を直角に山折し、底側板（５）２枚を直角に谷折する。
（ホ）天折返し（９）と底折返し（１０）を１８０度山折して、内部に畳み込む。
（ヘ）天板（２）にかかる部分の前立て（６）外周に切込みを入れて、前立てを引起す。
（ト）これにより図１、図２に示す「側板付き」の型式については、図１に示すとおりに完成する。
（チ）図３、図４に示す「側板なし」の型式については、横からの日差しを遮る点で劣るが、より簡便、低コストである。図４にある通り紙等に表示された展開図に記載の通り折り畳むだけで、図３に示すとおりに完成する。
本発明は以上のような構造である。
【０００８】  本発明を使用するときは、図１の状態になるが、ダッシュボード埋め込み型（通称イン・ダッシュ・タイプ）の表示装置にあっては、図５に示すように、その外周上部の隙間（１１）に天板の差込しろ（８）を、左右の隙間（１１）に天側板（４）と底側板（５）を重ねて、それぞれ差し込むことで固定され、日除けの役目を果たす。また、ダッシュボード上据え置き型（通称オン・ダッシュ・タイプ）の表示装置にあっては、その外周部分に差込しろ（８）を同様に両面テープで貼付することで固定され日除けの役目を果たす。また、破風板が前面に出ることで有効に広告媒体の役を果たし、簡単に外せることから、随時新しい物と取り替えることができる。また、紙等の柔らかい素材を使用していることで、衝突時などに搭乗者を傷付けることはない。
【符号の説明】
【０００９】１  破風板、２  天板、３  底版、４  天側板、５  底側板、６  前立て、７  前立て引起し孔、８  差込しろ、９  天折返し、１０  底折返し、１１  表示部周囲のすき間
【図１】
2012171613.tif 000003
【図２】
2012171613.tif 000004
【図３】
2012171613.tif 000005
【図４】
2012171613.tif 000006
【図５】
2012171613.tif 000007
(57)【要約】【課題】納豆を食す場合において、薬味の添加が必要な場合、袋状の薬味は開封や添加時、飛散などが起こった。薬味の添加しやすい構造を考える必要がある。【解決手段】保存方を薬味袋から、納豆容器の蓋体上面に保存用の窪みを設け薬味を保存し、本体と蓋合わせ部の出口穴シールが、本体容器蓋を開けることで、保存部出口シールが剥がれ開口する、これにより蓋体上面の絞り出しシートを絞りだすことで、保存部出口より本体内部の納豆に添加できる構造とした。【選択図】図１
2012171656.tif 000002
【特許請求の範囲】
【請求項１】
納豆容器の蓋体補強及び合わせのための溝、外部上面の溝内を合わせ部より内側に広げ薬味収納とし仕切り、必要に応じ本体内部へ注入できる、下部開口と上面投入用シートを有する納豆容器
【発明の詳細な説明】
【技術分野】
【０００１】
薬味保存部より納豆容器内部に簡単に薬味注入ができる納豆容器である。
【背景技術】
【０００２】
従来の納豆への薬味添加は手による薬味袋の開封注入で手の汚れや飛び散るなどが起きた。
また本体容器内を区切って薬味収納部を構成したものもあるが、混ぜにくくなることがあった。
【先行技術文献】
【特許文献】
【０００３】
【特許文献１】2010-11839
【非特許文献】
【０００４】
【非特許文献１】2002-284215
【発明の概要】
【発明が解決しようとする課題】
【０００５】
薬味袋に変わる合理的な保存法と開封法を構成する。
【課題を解決するための手段】
【０００６】
上記課題を解決するため、蓋体上面に保存用の窪みを作り、その保存された内部で開封できる構造とした。
【発明の効果】
【０００７】
本発明は従来の薬味開封による、飛散や手の汚れの防止の他、同時開封や容器スペースの効率化が図れる。
【図面の簡単な説明】
【０００８】
【図１】（a）は本発明容器の概略断面図で、（ｂ）はその納豆容器を開け薬味出口シールが剥がれる様子を示す概略図である。
【発明を実施するための形態】
【０００９】
上記目的を達するため薬味袋を使用せず、蓋体のくぼみを容器とし、本体容器である蓋体の開閉により開く投入出口から本体内部納豆へ添加する。
【実施例】
【００１０】
図１ (a)は納豆容器本体と蓋体の概略断面図で(b)はその容器を開け薬味出口シールが剥がれる様子を示す概略図である。
【００１１】
容器蓋体上部に収納用の窪みをつけた薬味収納部１を構成し、上面に絞り出しシート２が張ってある。
【００１２】
なお薬味収納部１の底部に、薬味出口穴４が、シール状態３にあり、蓋の持ち上げにより図１（b）の状態となり、出口穴シート３がはがれ、出口穴４より本体内部の納豆に添加される。
【００１３】
上記により、薬味は、蓋体を開封する作業図１（b）により、薬味収納の出口穴シール３が開封され、内部シート有りの場合は取り除くことができ蓋を戻し、蓋上面の搾り出しシート２を押し、薬味収納部１より出口穴４を通し本体内部の納豆に添加される。
【産業上の利用可能性】
【００１４】
この発明は容器蓋体上面の内部へ窪む溝を保存部とし利用、その内容物の投入穴のシールを蓋の開口で開けさせるものであり、円形の容器においても蓋の回転で出口穴シールを剥がし本体へ流入させるものである。
【符号の説明】
【００１５】
１  薬味収納部
２  絞り出しシート
３  出口穴シール
【図１】
2012171656.tif 000003
【手続補正書】
【提出日】平成24年5月27日(2012.5.27)
【手続補正１】
【補正対象書類名】特許請求の範囲
【補正対象項目名】全文
【補正方法】変更
【補正の内容】
【特許請求の範囲】
【請求項１】
納豆容器の蓋体上面の窪みを、薬味収納とし、蓋体の開封と同時に自動で薬味投入口が開口し、薬味投入できる納豆容器であって、蓋体上面より内部へ補強及び本体合わせ部用の溝を薬味収納部とし広げ、その薬味収納部の蓋体上面には絞り出しシートを有し、本体合わせ部と薬味収納部の合わせ部は熱圧着による、投入通路と開口用シール部を有する納豆容器である。
(57)【要約】【課題】コンクリートや金属の製品製作過程において、端部や平面の大まかな調整は回転砥石を取り付けた手持ち式のグラインダーで行い、微調整はペーパー式の研磨材を取り付けた工具を使い手作業で行う場合がある。その際手持ち式のグラインダーでの調整は熟練を要し、またペーパー式の研磨材は消耗が激しく、交換頻度が高いといった問題がある【解決手段】課題を解決する為に、回転砥石に保持具を取り付けることで手動研磨が出来ることを特徴とした回転砥石手動研磨用保持具を提供する。【選択図】図１
2012171073.tif 000002
【特許請求の範囲】
【請求項１】
回転砥石に保持具を取り付けることで手動研磨が出来ることを特徴とした回転砥石手動研磨用保持具。
【請求項２】
請求項1の保持具がボルトを埋設した台座にカバーを取り付けた保持具本体と、回転砥石のずれを防止する調整リングと、回転砥石に固定する為のナットから成ることとした回転砥石手動研磨用保持具。
【発明の詳細な説明】
【技術分野】
【０００１】
本発明は、回転砥石の手動研磨用保持具に関する。
【背景技術】
【０００２】
従来の手動研磨工具には、ペーパー式の研磨材を取り付けて研磨するものがある。（特許文献１参照）
【先行技術文献】
【特許文献】
【０００３】
【特許文献１】特表2008‐539095
【発明の概要】
【発明が解決しようとする課題】
【０００４】
コンクリートや金属などの製品製作過程において、端部や平面の大まかな調整は回転砥石を取り付けた手持ち式のグラインダーで行い、微調整はペーパー式の研磨材を取り付けた工具を使い手作業で行う場合がある。その際、手持ち式のグラインダーでの調整は熟練を要し、またペーパー式の研磨材は消耗が激しく、交換頻度が高いといった問題がある。
【課題を解決するための手段】
【０００５】
上記課題を解決するために回転砥石に保持具を取り付けることで手動研磨が出来ることを特徴とした回転砥石手動研磨保持具を提供する。
【発明の効果】
【０００６】
本発明によれば、コンクリートや金属などの製品製作過程の調整において、回転砥石を使って手動研磨出来るため、熟練者でなくとも研磨作業が出来る。
【０００７】
又本発明によれば、ペーパー式の研磨材よりも耐久性の高い回転砥石を手動研磨材として使用出来るため、交換頻度が低くすむので、製作コストを低減できる。
【０００８】
又本発明によれば、回転砥石を交換する際着脱が容易のなので、作業効率を上げることができる。
【図面の簡単な説明】
【０００９】
【図１】１実施形態を示す斜視図である。
【図２】１実施形態を示す断面図である。
【発明を実施するための形態】
【００１０】
本発明における１実施形態を図１に示す。ボルト３を埋設する空間を設けた台座２にボルト３の先端を突出するように埋設し、台座２より径の大きいカバー１をボルト３の頭部を覆うように台座２に取り付ける。これを保持具本体７とする。外径は回転砥石６の内径と等しく、且つ内径はボルト３の外径と等しい調整リング４を保持具本体７から突出したボルト３に通し、回転砥石６をはめて、回転砥石の内径より大きいナット５をボルト３の突出部分と締結することで回転砥石６に回転砥石手動研磨用保持具を取り付ける。
【符号の説明】
【００１１】
1  カバー
2  台座
3  ボルト
4  調整リング
5  ナット
6  回転砥石
7  1から3までを組み合わせた保持具本体
【図１】
2012171073.tif 000003
【図２】
2012171073.tif 000004
(57)【要約】      （修正有）【課題】金属管材料を塑性加工することにより、材料廃棄コストが少なく、かつ放射状の鍛造流線を有するワッシャ及びリング形状を小出力のプレス又は回転加工等の塑性加工装置により製造できる方法を提供する。【解決手段】金属管材料を保持し、その一端部を塑性加工により前記管材料外径の外側方向に曲折する工程と、曲折した端部をリング状に打ち抜く工程からなる。【選択図】図１
2012171015.tif 000002
【特許請求の範囲】
【請求項１】
金属管材料を保持し、その一端部を塑性加工により前記管材料外径の外側方向に曲折する曲折工程と、曲折した端部をリング状に打ち抜く打ち抜き工程とからなることを特徴とするワッシャ及びリング形状の製造方法。
【発明の詳細な説明】
【技術分野】
【０００１】  本発明は、ワッシャ及びリング形状、特に肉厚ワッシャの製造方法に関する。
【背景技術】
【０００２】  ワッシャ及びリング形状は一般的かつ基本的な機械部品であり、その使用範囲は極めて広く、使用量も膨大である。このようなワッシャ及びリング形状の製造方法としては、旋盤加工等が最も単純な方法であるが、加工に手間と時間がかかるためコストが高くなってしまうという問題点がある。【０００３】  そこで、特許文献１においては、素材金属板を間欠的に送りながら、ワッシャ及びリング形状の内径孔を打ち抜く内径孔打ち抜き工程と、この内径孔の両端部周囲に面取りを施す面打ち工程と、素材金属板に内径孔と同軸心の状態でワッシャ及びリング形状を半抜きにするワッシャ及びリング形状半抜き工程と、半抜きのワッシャ及びリング形状を素材金属板から抜き落とすワッシャ及びリング形状打ち抜き工程とからなるワッシャ及びリング形状の製造方法が開示されている。この方法は板厚が厚いワッシャに適しており、プレス加工による量産化により低コストの製品を供給することが可能とされているが、実際には素材金属板からワッシャ及びリング形状を抜き落とすと、ワッシャ及びリング形状の外側周囲及びワッシャ及びリング形状内径内の素材は廃棄されることになるため、素材の利用率は極めて低く、これによるコストの増加分があった。【０００４】  このような素材の利用率向上を目指して、特許文献２が提案されている。この技術では、素材として金属板ではなく線材を使用し、この線材の一端部をプレス鍛造により線材の長さ方向と直角方向にプレスし、中央部を打ち抜くことによりワッシャ及びリング形状を製造するものである。この方法によれば、素材の廃棄がほとんど無くなるため素材廃棄コストは大幅に軽減される。また、線材を長さ方向に対して垂直にプレスして製造するため、ワッシャ及びリング形状表面の鍛造流線がワッシャ及びリング形状中心部より放射状に形成されることにより、ワッシャ及びリング形状の機械的性質も改善される。しかしながら、この方法では線材をプレスにより所望するワッシャ及びリング形状の厚さにプレスするため、プレス装置の出力が大きくなければならない。従って、大口径で肉厚のワッシャ及びリング形状の製造には不適である。【０００５】
【特許文献１】特開２００３−８０３２２号公報
【特許文献２】特開平５−２７７６１９号公報
【発明の開示】
【発明が解決しようとする課題】
【０００６】  上記のような従来技術の問題点に鑑みて、本発明によるワッシャ及びリング形状の製造方法では、金属管材料を塑性加工することにより、特許文献２の技術の材料廃棄コストが少ない、及び放射状の鍛造流線を有するワッシャ及びリング形状を小出力のプレス装置又は回転加工などの塑性加工装置により製造できる方法を提供することを課題とする。
【課題を解決するための手段】
【０００７】  上記課題を解決するため、本発明によるワッシャ及びリング形状製造方法は、金属管材料を保持し、その一端部を塑性加工により前記管材料外径の外側方向に曲折する工程と、曲折した端部をリング状に打ち抜く工程とからなることを特徴とする。
【発明の効果】
【０００８】  本発明によるワッシャ及びリング形状の製造方法では、金属管材料を塑性加工により曲折して打ち抜くことによりワッシャ及びリング形状を製造するため、材料の廃棄部分がほとんどない。また、線材ではなく管材を使用することにより、厚さが２〜１０ｍｍ程度の肉厚ワッシャ及びリング形状製造時においてもプレス加工又は回転加工などの塑性加工時の圧力を低く抑えることが可能となり、結果として製造コストを低減することが可能となる。
【発明を実施するための最良の形態】
【実施例】
【０００９】  以下、図面に基づいて本発明の好適な実施例について説明する。図１には、本発明によるワッシャ及びリング形状の製造方法の工程を示した。（ａ）では、金属管材料１を保持する。（ｂ）では、保持した金属管材料１の一端部をプレス成形又は回転加工などの塑性加工をすることにより、金属管材料１外径の外側方向に曲折する。曲折部においては、金属管材料１は内面側曲率３と外面側曲率４に沿って曲折されている。（ｃ）において、曲折した部分を打ち抜く又はその他の塑性加工を行うことにより、中空部５を有するワッシャ及びリング形状を製造することができる。（ｃ）において、打ち抜き金型を変えることでワッシャ及びリング形状の外径、内径の輪郭形状は自由に変形できる。【００１０】  図２には、図１（ｂ）に示した金属管材料のプレス成形又は回転加工などの塑性加工に使用する金型の例を示した。この金型は上型１１と下型１２とからなり、これらの金型を上下に嵌合することにより、金属管材料１の端部を曲折することができる。尚、上型１１には金属管材料１の内面側曲率３を形成するための上型曲率部１３が、また下型１２には金属管材料１の外面側曲率部４を形成するための下型曲率部１４がそれぞれ形成されている。
【産業上の利用可能性】
【００１１】  本発明によるワッシャ及びリング形状の製造方法では、材料利用率が高いワッシャ及びリング形状を安価なプレス装置で製造することができる。
【図面の簡単な説明】
【図１】本発明によるワッシャ及びリング形状の製造方法の工程を示す図である。
【図２】本発明によるワッシャ及びリング形状の製造方法に用いる金型を示す断面図である。
【符号の説明】１    金属管材料
２    曲折端部
３    内面側曲率
４    外面側曲率
５    中空部
１１  上型
１２  下型
１３  上型曲率部
１４  下型曲率部
【図１】
2012171015.tif 000003
【図２】
2012171015.tif 000004
(57)【要約】【課題】  配送情報をデータ入力し画面表示して送り主と配送先の確認をすることで手書きでの誤記入の防止、荷物の体積を計算して車の積載率を把握する。配達先の住所を地図上に表示して住所の確認又は場所の指定をすることで配達を容易にし、個人情報をコード情報に変換して情報端末にて表示、印刷することで第三者からの情報保護をできるシステムを提案する。【解決手段】配達員が携帯する情報端末を配達業務用携帯システムとして、送信手段及びコード情報読取手段を備え、コード情報を業務用通信端末機に送信するプログラムと配達情報を表示、プリントできる機能と、配送先を端末及びサバーで管理地図上に表示し別画面で荷物情報を管理して配達予定、完了、配達先や時間変更を管理し、ＧＰＳにより位置情報や運行経路や時間情報で運行実績、運行予定、運行ルートを管理できるプログラム、及び荷物の体積を計算し営業車の積載率を管理できるプログラム、【選択図】図１
2012171793.tif 000002
【特許請求の範囲】
【請求項１】
配達員が携帯する配達業務用携帯システムであり配達完了時間、配達場所、在宅不在、情報管理サーバに送受信できるプログラムを備え、荷物の受付入力ができるプログラム有する機能とコード情報を表示できる機能、コード読み取りを有する配達業務用携帯システム。
【請求項２】
配達先情報を地図表示し指定時間、荷物種別を表示することがでるプログラムを有する機能と画像撮影機能を備え管理サーバに画像を送受信できる配達業務用携帯システム。
【請求項３】
依頼人個人情報と配達先個人情報をコード化し必要情報をプリントアウトできる機能を有する配達業務用携帯システム。
【請求項４】
地図情報をＧＰＳと連動表示、及び地図上の任意の場所に表示することができ、該当場所を緯度、経度で記憶し管理サーバに送受信できる機能を有する配達業務用携帯システム。
【請求項５】
業務管理サーバは配達業務用携帯に業務を設定時間及び業務依頼、終了時に自動更新できるプログラムを備え、送受信時には当該端末に確認表示させ位置情報を時間及び画像と連動管理するシステム。
【請求項６】
業務管理サーバは荷物送り先、指定条件、体積（高さ・幅・奥行き）、重量で規定の料金及び配達予定日時などを依頼人の情報受信時に瞬時に返信し確認することにより、配達業務用端末と連動するシステム。
【請求項７】
業務管理サーバは地図上の緯度、経度情報を認識、容積、配達指定条件をデータ化及び暗号化記憶することにより、どの場所にでも配達表示を可能（世界各国とリンクできるようになる）となり、荷物の情報を記録し、在庫管理システムとしても活用できるものである。
【発明の詳細な説明】
【技術分野】
【０００１】  本発明は、多数の配達員が誰でも簡単に配達できるシステム、及び業務管理、在庫管理個人情報の保護システムに関する。
【背景技術】
【０００２】  近年、配達先が多様化し配達先の誤記入による未配達及び配達先変更、配達員の変更や、委託業者、アルバイトによる誤配、未配、遅延、未集荷によるサービスの低下を抑制し、記載事項を携帯端末による表示とプリントアウト機能、コード情報化による個人情報の保護及び荷札の簡易化、営業車の積載率を把握する事での適正な配車管理、ＧＰＳと地図表示によるルート設定及び案内、業務管理、在庫管理、営業車の荷物情報管理をするプログラム。
【発明の概要】
【発明が解決しようとする課題】
【０００３】  近年、個人情報の保護が問題視されているが、宅配物、郵便物は情報管理が手書きの為、第三者に漏洩する可能性があり、個人情報をコード化し携帯端末による閲覧での保護、記載事項の適正化、必要事項のプリントアウトによる荷札の簡易化と資源の節約。
地図表示とＧＰＳによるルート設定と経路案内による時間の短縮、配達場所と時間を連動し荷物運行状況の管理、集荷依頼の表示、体積表示による、営業車の容積率を管理する事での配車予定、荷物の現在地情報をデータを管理サーバとネットワークを介して管理システムを提供することである。
【課題を解決するための手段】
【０００４】  荷物の情報をデータ入力し管理サーバに送信、荷物の体積を入力し情報内容の確認を管理サーバより返信、依頼人の入力情報確認により、管理サーバに登録、配送先端末に表示され地図上と管理画面への登録、コード化したデータをプリントアウトして荷札とし貼り付け。集荷後目的への運行、データ管理による運行状況の確認。配送先の配達員による地図とＧＰＳを連動させた運行予定による配送確認、配送先と荷物情報による配送先の表示（データ連動で配送先を文字数字で表示）配送先での携帯端末による送り主の確認と受領書の発行を携帯端末でプリントアウトする。
【発明の効果】
【０００５】  本発明では、手書きの荷札による誤記入や未記入による荷物未着、誤配、延着、未集荷を無くし荷物の現在地情報、荷札のコード情報化による個人情報の保護と資源の節約データ管理による入力の簡易化及び在庫管理、営業車の容積率を管理し適正な配車、配達員の変更やアルバイトでも容易に集配業務を行えるようになりサービスの低下を抑制し荷物と個人情報を管理サーバで記録するプログラムを備え、ルート設定、人員数、適正車両数、在庫管理を管理運営するシステムであるといえる。
【図面の簡単な説明】
【０００６】
【図１】本発明に係る運行管理システムによる入力のフローチャートである。
【図２】個人情報の表示画面
【図３】配送時の地図画面と情報画面
【発明を実施するための形態】
【０００７】本発明に係る配送及び在庫管理システムと個人情報保護システムは図１を参照に説明する。なお発明の範囲は図示例に限定されない。
【図１】
2012171793.tif 000003
【図２】
2012171793.tif 000004
【図３】
2012171793.tif 000005
(57)【要約】【課題】従来のダブルクリップには、めくりあげた書類を裏側へと巻き込む場合に開閉レバーが障害となって円滑にできない場合があった。また、開閉レバーを挟み保持板上に収納できるものは、生産コストがかかる場合があった。【解決手段】挟み保持板のどちらか一方の間口から連結板にかけての奥行きを長くして、その側面をめくりあげの案内面とする。または開閉レバーを長くして、その側面をめくりあげの案内面としたものである【選択図】図１
2012171353.tif 000002
【特許請求の範囲】
【請求項１】
弾性を有する金属板を折り曲げて２枚の挟み保持板と連結板からなる挟み保持体に、弾性を有する金属棒を折り曲げて造られた開閉レバーを装着するダブルクリップにおいて、どちらか一方の挟み保持の間口から連結板にかけての奥行きの長さを長くして、その側面を挟み保持された書類のめくりあげの案内面となるようにしたダブルクリップ。
【請求項２】
弾性を有する金属板を折り曲げて２枚の挟み保持板と連結板からなる挟み保持体に、弾性を有する金属棒を折り曲げて造られた開閉レバーを装着するダブルクリップにおいて、開閉レバーを長くして、挟み保持対照物上に開閉レバーを収納したときに長くした開閉レバーの側面を案内として書類をめくりあげるようにしたダブルクリップ
【発明の詳細な説明】
【技術分野】
【０００１】  本発明は、ダブルクリップにて挟み保持された書類を円滑に裏側へと巻き込みができることを図った考案である
【背景技術】
【０００２】  従来のダブルクリップにて挟み保持された書類を裏側へと巻き込む場合には、挟み保持体の開口部間口である挟み保持板の先端部分を案内として、めくりあげた後、開閉レバーをおおい包むように巻き込む場合があった。【０００３】  また、特許文献１、２、３、４、５に記載されているような開閉レバーを挟み保持板上に収納できるダブルクリップにおいても、挟み保持体の開口部間口である挟み保持板の先端部分を案内として、めくりあげた後、開閉レバーをおおい包むように巻き込む場合があった。【０００４】  以下、図５、図６により従来のダブルクリップについて説明する。
図において、弾性を有する金属板を折り曲げて挟み保持板１２、連結板１３からなる挟み保持体の先端部に設けた開閉レバー装着部１４に弾性を有する金属棒にて造られた開閉レバー１５を装着するようになっている。
【先行技術文献】
【特許文献】
【０００５】
【特許文献１】公開実用新案公報  昭６１−１２８０７６号公報
【特許文献２】公開実用新案公報  昭６２−２２８７４号公報
【特許文献３】公開実用新案公報  昭６２−２２８７５号公報
【特許文献４】公開特許公報  特開平８−７２４５３号公報
【特許文献５】公開特許公報  特開平１０−３１５６７３号公報
【発明の概要】
【発明が解決しようとする課題】
【０００６】  以上に述べた従来のダブルクリップには、めくりあげた書類を裏側へと巻き込む場合に開閉レバーが障害となって円滑にできない場合があった。【０００７】  また、開閉レバーを挟み保持板上に収納できるものは生産コストがかかる場合があった。【０００８】  本発明は、このような従来の構成が有していた問題を解決しようとするものであり、挟み保持された書類を円滑に裏側へと巻き込むことができるダブルクリップを実現することを目的とするものである。
【課題を解決するための手段】
【０００９】  そして本発明は上記目的を達成するために２枚の挟み保持板のどちらか一方の間口から連結板にかけての奥行きを長くしたものである。【００１０】  また、第２の課題解決手段としては２本の開閉レバーのどちらか一方を長くしたものである。【００１１】  上記第１の課題解決手段による作用は次の通りである。
すなわち、挟み保持板の片方だけを長くすることにより、挟み保持力および開閉時の開閉レバーへの加圧力を変えることなく作動させることができる【００１２】  また、第２の課題解決手段による作用においても挟み保持力および開閉時の開閉レバーへの加圧力を変えることなく作動させることができる。
【発明の効果】
【００１３】  上述したように本発明のダブルクリップは、挟み保持板又は開閉レバーを長くした側面を案内として挟み保持された書類をめくりあげ、裏側へと巻き込む場合に円滑なめくりあげ、巻き込みができる。
【図面の簡単な説明】
【００１４】
【図１】挟み保持板の片方を長くした本発明の正面図
【図２】図１の本発明の平面図
【図３】開閉レバーの片方を長くした本発明の正面図
【図４】図３の本発明の平面図
【図５】従来のダブルクリップの実施正面図
【図６】従来のダブルクリップの実施平面図
【発明を実施するための形態】
【００１５】  以下、本発明の実施の形態および動作を図１〜図４に基づいて説明する。
【００１６】  図１、図２において、弾性を有する金属板を折り曲げて長い挟み保持板１、短かい挟み保持板２、連結板３を構築し、両方の挟み保持板に開閉レバー装着部４を設け、開閉レバー５を装着したダブルクリップである。
【００１７】  以上のように構成されたダブルクリップにて書類などを挟み保持する場合には、挟み保持板と連結板の折り曲げ部分を支点として開閉レバーを作動することにより挟み保持部が開口され書類などの挟み保持対照物を差し込み挟み保持ができる。
【００１８】  また、このような構造によるダブルクリップの挟み保持能力は短かい挟み保持板を一対とした従来のダブルクリップと変わらない保持力、又は、摩擦面の拡大により従来以上の保持力を有することができる。
【００１９】  また、挟み保持部開口に必要な加圧力も支点、力点、作用点の間隔が変わらないことにより従来のダブルクリップと変わらない
【００２０】  そして、挟み保持された書類をめくりあげる場合には、長くした挟み保持板の側面を案内としてめくりあげることにより円滑なめくりあげができる。ひいては裏側への巻き込みも円滑にできる。
【００２１】  また、裏側への巻き込み時において、開閉レバーの位置が、作動側、収納側のどちらにあっても障害となることがない。
【００２２】  図３、図４においては、弾性を有する金属板を折り曲げて一対の挟み保持板７と連結板８からなる挟み保持体に設けた開閉レバー装着部９に長い開閉レバー１０と短かい開閉レバー１１を装着したダブルクリップである。
【００２３】  以上のように構成されたダブルクリップにおいては、長い開閉レバーを挟み保持された書類上に収納し、長くした開閉レバーの側面をめくりあげる時の案内とすることにより、円滑なめくりあげ、巻き込みができる。
【符号の説明】
【００２４】１、長くした挟み保持板
２、短かい挟み保持板
３、連結板
４、開閉レバー装着部
５、開閉レバー
６、挟み保持対照物
７、挟み保持板
８、連結板
９、開閉レバー装着部
１０、長くした開閉レバー
１１、短かい開閉レバー
【図１】
2012171353.tif 000003
【図２】
2012171353.tif 000004
【図３】
2012171353.tif 000005
【図４】
2012171353.tif 000006
【図５】
2012171353.tif 000007
【図６】
2012171353.tif 000008
(57)【要約】      （修正有）【課題】書類を綴じてファイルとして保管する際、そのファイルを表紙に綴じて縦にして書棚等に横並びにして保管してきたが、その際にファイル表紙の腰折れ防止や、ファイル前後の厚みの違いに因るファイルが弧を描きがちになる不整列防止するファイル表紙を提供する。【解決手段】ファイルを縦にして横並びに書棚等で保管する際に腰折れ、不整列が起きることを防止するために、後ろ背表紙１を取り付ける。【選択図】図１
2012171352.tif 000002
【特許請求の範囲】
【請求項１】
前背表紙の他に、後ろにも背表紙を設けたファイル表紙。
【発明の詳細な説明】
【技術分野】
【０００１】  本発明は、書類等を綴じるファイル表紙に関するものである。
【背景技術】
【０００２】  従来、書類等を綴じてファイルとして保管する際、そのファイルを表紙に綴じて縦にして書棚等に横並びにして保管してきた。
このとき、ファイル表紙の腰折れ防止やファイル前後の厚みの違いに因るファイルが弧を描きがちになる不整列防止としては、ブックエンドや棚に仕切りを付けて対処していた。
【発明の開示】
【発明が解決しようとする課題】
【０００３】  従来、書類を綴じてファイルとして保管する際、そのファイルを表紙に綴じて縦にして書棚等に横並びにして保管してきた。
このとき、ファイル表紙の腰折れ防止やファイル前後の厚みの違いに因るファイルが弧を描きがちになる不整列防止としては、ブックエンドや棚に仕切りを付けて対処していたが、ファイル表紙の腰折れ防止やファイル前後の厚みの違いによる弧を描きがちになる不整列を防ぐことは困難であった。
本発明は、以上の問題点を解決するためになされたものである。
【課題を解決するための手段】
【０００４】  ファイル表紙の腰折れ防止には表紙を厚い素材で作成すれば解決するが、横並び不整列については解決出来ないので、ファイルの前後の厚さを同じにすれば、両方解決出来るので、ファイルの後ろにも背表紙を付けることにした。
後ろ背表紙には差込みベロを付け、その差込ベロをベロ差込口に挿入することによって後ろ背表紙を固定することが出来、ファイルの強度とファイル後ろの厚みを保つことが出来、問題を解決することが出来た。
【発明の効果】
【０００５】  ファイル表紙に後ろ背表紙を付けたことにより、ファイルを縦にして横並びにしても腰折れや不整列は生じなくなった。
【図面の簡単な説明】
【０００６】
【図１】本発明の展開斜視図
【図２】本発明の立面斜視図
【符号の説明】
【０００７】（１）後ろ背表紙、（２）差込ベロ、（３）ベロ差込口、（４）表背表紙
（５）谷折線▲１▼、（６）谷折線▲２▼、（７）山折線▲１▼、（８）山折線▲２▼
（９）綴じ具
【図１】
2012171352.tif 000003
【図２】
2012171352.tif 000004